(57)【要約】【課題】水で形成される画像の判読性を向上させる。【解決手段】複数の出水孔が２次元的に配置された複数の出水ユニットと、複数の前記出水ユニットを前記出水孔が形成された面に平行な方向に１列に並べた状態で支持する支持部と、複数の前記出水ユニットのそれぞれに給水する給水部と、複数の前記出水ユニットのそれぞれに対する前記給水部からの水の給水を制御する出水制御部と、を備えるディスプレイ装置が構成される。【選択図】図１
2019040102.tif 000002
【特許請求の範囲】
【請求項１】
所定の面に複数の出水孔が２次元的に配置された複数の出水ユニットを、
前記所定の面に平行な方向に１列に並べ、
複数の前記出水ユニットのそれぞれにおいて前記出水孔から水を出水することによって画像を表示する、
ディスプレイ方法。
【請求項２】
所定の面に複数の出水孔が２次元的に配置された複数の出水ユニットと、
複数の前記出水ユニットを前記所定の面に平行な方向に１列に並べた状態で支持する支持部と、
複数の前記出水ユニットのそれぞれに給水する給水部と、
複数の前記出水ユニットのそれぞれに対する前記給水部からの水の給水を制御する出水制御部と、
を備えるディスプレイ装置。
【請求項３】
前記出水制御部は、
複数の前記出水ユニットのそれぞれに取り付けられた複数の弁を備え、
複数の前記弁のそれぞれを開閉することで前記給水部からの水の給水を制御する、
請求項２に記載のディスプレイ装置。
【請求項４】
複数の前記出水孔は、
複数の前記出水ユニットが並ぶ方向に平行な方向と垂直な方向とのそれぞれに複数個並べられる、
請求項２または請求項３のいずれかに記載のディスプレイ装置。
【発明の詳細な説明】
【技術分野】
【０００１】
本発明は、ディスプレイ方法およびディスプレイ装置に関する。
【背景技術】
【０００２】
従来、複数の孔から出水した水で画像を表示するディスプレイ装置が知られている。例えば、特許文献１においては、１列に並ぶ複数のノズルから水を落下させ、ノズルが並ぶ列方向に平行な表示面に文字または図形を表示するディスプレイ装置が開示されている。
【先行技術文献】
【特許文献】
【０００３】
【特許文献１】特開２００９−４２３９５号公報
【発明の概要】
【発明が解決しようとする課題】
【０００４】
従来の技術においては、表示面に表示された画像を判読しづらかった。すなわち、ノズルから落下する水は透明であるため、ノズルが１列に並ぶ構成において水の有無によって画像を形成しても、背景と同化することで水が存在する部分と水が存在しない部分とを明確に区別することが困難であった。
【０００５】
また、従来の技術においては、ノズルを複数列形成し、各ノズルを開閉弁で開閉制御する構成が開示されている。しかし、この構成であっても、粗いピッチで配置されたノズルから落下する水の有無を明確に区別することが困難である状況は変わらず、やはり画像を判読することは困難であった。
本発明は、上記の問題を解決するものであり、水で形成される画像の判読性を向上させることを目的とする。
【課題を解決するための手段】
【０００６】
上記の目的を達成するため、ディスプレイ方法においては、所定の面に複数の出水孔が２次元的に配置された複数の出水ユニットを、所定の面に平行な方向に１列に並べ、複数の出水ユニットのそれぞれにおいて出水孔から水を出水することによって画像を表示する。
【０００７】
また、上記の目的を達成するため、ディスプレイ装置は、所定の面に複数の出水孔が２次元的に配置された複数の出水ユニットと、複数の出水ユニットを所定の面に平行な方向に１列に並べた状態で支持する支持部と、複数の出水ユニットのそれぞれに給水する給水部と、複数の出水ユニットのそれぞれにおいて給水部からの水の給水を制御する出水制御部と、を備える。
【０００８】
すなわち、給水部から出水ユニットに水を供給すれば当該出水ユニットから水が出水される。そして、出水ユニットにおいては、複数の出水孔が所定の面に２次元的に配置され、シャワーヘッドの出水部と同様な出水孔を備えている。従って、１個の出水ユニットから出水した水が密になり背景とのコントラストが向上するため、水の有無を容易に区別可能な状態で水を出水することが可能である。従って、出水ユニットから出水した水において、落下方向における水の有無を容易に区別可能である。
【０００９】
さらに、出水ユニットは所定の面に平行な方向に複数個配置されている。従って、隣接する出水ユニットから出水した水の有無も容易に区別可能である。このため、水の落下方向と、落下方向に垂直な方向とのそれぞれにおいて水の有無を容易に区別可能である。この結果、落下する水で形成される表示面において２次元的な水の有無を容易に区別可能になり、水で形成される画像の判読性を向上させることができる。
【００１０】
出水ユニットは、所定の面に複数の出水孔が２次元的に配置されていればよい。すなわち、出水ユニットにおいては、内部に水が供給され、当該水が複数の出水孔から外部に出水可能な構造であれば良い。出水ユニットの形状や大きさ、内部の容量等は各種の構造とすることができる。
【００１１】
出水孔は、出水ユニットの内部の水を出水することが可能な孔であればよく、円形、多角形など、種々の形状を採用可能である。出水孔は、表示面に向けて開口していれば良い。すなわち、出水孔から出水された水が落下することで表示面が形成されれば良い。
【００１２】
出水孔は、所定の面に２次元的に配置されており、各出水孔から落下する水が視認者から見て１本の筋ではない状態となれば良い。この状態としては、例えば、視認者の視線方向に水が重なっている（複数の筋になっている）状態等が挙げられる。すなわち、出水孔が２次元的に配置されている結果、透明な水であっても水の有無が区別できるように構成されていれば良い。従って、複数の出水孔は、出水孔が形成される所定の面において単一方向にのみ並ぶのではなく、少なくとも２方向に並ぶ配置となる。
【００１３】
また、出水孔の数や密度は限定されないが、視認者の視線方向に少なくとも２カ所以上の水の落下経路が形成されている（あるいは形成されているように見える）ことが好ましく、視認者の視線方向に垂直な方向にも少なくとも２カ所以上の水の落下経路が形成されていることが好ましい。このような構成は、例えば、複数の出水孔が、出水ユニットが並ぶ方向に平行な方向と垂直な方向とのそれぞれに（表示面に平行な方向と垂直な方向とのそれぞれに）複数個並べられている構成等によって実現可能である。
【００１４】
支持部は、複数の出水ユニットを所定の面に平行な方向に１列に並べた状態で支持することができればよい。支持態様は限定されず、ネジやリベット止め、溶接などの各種の態様を利用して出水ユニットを支持できれば良い。出水ユニットが支持される部位は、表示面の上部に形成されていれば良い。すなわち、水を落下させて表示面を形成するため、落下開始点となる出水ユニットを表示面の上部に保持する部材が構成され、当該部材に出水ユニットが取り付けられるように支持部が構成されていれば良い。
【００１５】
出水ユニットは、支持部によって表示面に平行に配置されていれば良く、表示面に平行に出水ユニットが配置されることにより、当該出水ユニットから落下する水が表示面を形成する。出水ユニットの配置間隔は限定されないが、表示面に画像が形成可能な程度に隣接した状態で配置されることが好ましい。
【００１６】
給水部は、複数の出水ユニットのそれぞれに給水することができればよい。すなわち、給水部は、画像を形成するために出水ユニットに対して水を供給することができればよい。給水部は、出水ユニットに水を供給できるように構成されていることが好ましい。例えば、各種の装置（ポンプ等）等を利用して水を出水ユニットに送ってもよいし、位置エネルギー（上方に配置されたタンクを配置する構成等）等を利用して水を出水ユニットに送っても良く、種々の構成を採用可能である。
【００１７】
出水制御部は、複数の出水ユニットのそれぞれにおいて給水部からの水の給水を制御することができればよい。すなわち、出水制御部は、複数の出水ユニットのそれぞれに対する給水を独立に制御することができればよい。この構成によれば、出水ユニットが並ぶ方向において水が供給される出水ユニットと、水が供給されない出水ユニットを選択することにより、出水ユニットが並ぶ方向に任意の画像を形成することができる。また、給水部からの水の給水タイミングを調整することで、水の落下方向に任意の画像を形成することができる。従って、表示面に２次元的な画像を形成することができる。
【００１８】
出水制御部においては、給水部から出水ユニットに水を給水するタイミングを切り替えることができればよい。このための構成としては、例えば、出水制御部が、複数の出水ユニットのそれぞれに取り付けられた複数の弁を備え、複数の弁のそれぞれを開閉することで各出水ユニットに水を供給する構成であっても良い。
【００１９】
すなわち、給水部から各出水ユニットの内部に通じる水の流路が形成されていれば、各出水ユニットにおいて流路に弁を設けることにより、当該流路を介した水の移動が可能な状態と不可能な状態とを容易に切り替えることができる。そして、弁を開けて流路内を水が移動可能である状態とすれば、流路を通じて水が出水ユニットに給水され、出水ユニットの出水孔から出水するため、弁の開閉により、各出水ユニットからの水の出水を制御することが可能になる。弁は各種の態様であって良く、電気的に制御可能な電磁弁や電動弁であることが好ましい。なお、弁は、出水ユニットからの水の出水を制御することができればよく、水の有無を調整するのであればＯＮ−ＯＦＦ弁であることが好ましい。
【図面の簡単な説明】
【００２０】
【図１】図１Ａはディスプレイ装置の概略構成を示す図であり、図１Ｂは出水ユニットとポンプと出水制御部との関係を示す図である。
【図２】図２Ａは出水孔の説明図であり、図２Ｂは画像データを模式的に示す図である。
【図３】図３Ａは表示処理のフローチャートであり、図３Ｂは表示の実例を示す図である。
【発明を実施するための形態】
【００２１】
ここでは、下記の順序に従って本発明の実施の形態について説明する。
（１）ディスプレイ装置の構成：
（２）表示処理：
（３）他の実施形態：
【００２２】
（１）ディスプレイ装置の構成：
図１Ａは本発明の一実施形態にかかるディスプレイ装置を模式的に示す図である。本実施形態においてディスプレイ装置は、路面Ｒ上に設置されている。本実施形態においては、路面Ｒの幅方向をｘ方向、鉛直下方をｙ方向、路面Ｒ上での車両等の移動方向をｚ方向とし、ｘ方向およびｙ方向を図１Ａに示している。ディスプレイ装置は、複数の出水ユニット１０と、支持部２０と、給水部３０と、出水制御部４０とを備えている。本実施形態においては、ｘ方向に並べられた複数の出水ユニット１０から水をｙ方向に落下させることによって画像を形成する。従って、本実施形態において、表示面はｘ方向およびｙ方向に平行な面となる。
【００２３】
本実施形態において、支持部２０はｙ方向に延びる２本の支柱２０ｂと、２本の支柱２０ｂに支えられてｘ方向に延びる梁部２０ａとを備え、梁部２０ａに出水ユニット１０が支持されている。本実施形態において、出水ユニット１０は、梁部２０ａに支持されて、ｘ方向に複数個並べられている。出水ユニット１０の数は限定されないが、１個の出水ユニット１０でｘ方向の１カ所における画像の有無を制御でき、１個の出水ユニット１０がｘ方向の１画素に相当するため、表示面に必要な画素数に応じて出水ユニット１０の数を決定すれば良い。
【００２４】
給水部３０は、ポンプ３０ａとタンク３０ｂと給水管３０ｃとを備えている。タンク３０ｂとポンプ３０ａは、給水管３０ｃで接続されており、ポンプ３０ａと出水ユニット１０は、給水管３０ｃで接続されている。図１Ｂは、出水ユニット１０と給水部３０と出水制御部４０との関係を模式的に示す図である。給水管３０ｃは、梁部２０ａの内部で各出水ユニット１０に向けて分岐しており、分岐した部位のそれぞれには弁４０ｂが設けられている。
【００２５】
図１Ａに示すタンク３０ｂには水が蓄積されている。ポンプ３０ａは給水管３０ｃの一方から水の供給を受け、圧力を増加させて他方の給水管３０ｃに水を供給する装置であり、給水管３０ｃを介してタンク３０ｂに蓄積された水を取り込み、給水管３０ｃを介して出水ユニット１０側に水を送り出す。
【００２６】
出水ユニット１０は、中空の直方体であり、上面（ｙ方向の垂直な面であって上方に位置する面）に給水管３０ｃが接続されている。図２Ａは、出水ユニット１０をｙ方向の下方から眺めた状態で示している。図２Ａに示すように、出水ユニット１０の下面（所定の面）には、例えば、直径１．２ｍｍの出水孔１０ａが複数形成されている。従って、給水管３０ｃから出水ユニット１０の内部に水が給水され、所定の水圧（例えば、大気圧以上の水圧）がかけられると水が各出水孔１０ａから出水する。
【００２７】
出水ユニット１０において、複数の出水孔１０ａは、ｘ方向の３カ所に形成され、ｚ方向の複数カ所（図２Ａにおいては１７個）に形成されている。従って、出水ユニット１０においてはｚ方向に並ぶ複数個の出水孔１０ａからなる列が３列形成されている。本実施形態において、出水孔１０ａはｘ方向とｚ方向のそれぞれに距離?だけ離れた状態で並んでいる。むろん、出水孔１０ａが並ぶ数は図２Ａに示す構成に限定されない。むろん、出水孔１０ａが並ぶ数は図２Ａに示す構成に限定されない。
【００２８】
出水制御部４０は、制御部４０ａと弁４０ｂと配線４０ｃとを備えている。弁４０ｂは、電磁弁であり、ポンプ３０ａと出水ユニット１０のそれぞれとをつなぐ給水管３０ｃに取り付けられている。すなわち、弁４０ｂが開閉することにより、給水管３０ｃから出水ユニット１０に供給されている水に、ポンプ３０ａからの圧力が作用する状態と、作用しない状態とを切り替えることができる。そして、出水ユニット１０に供給されている水にポンプ３０ａからの圧力が作用する状態においては、当該出水ユニット１０の出水孔１０ａから水が出水する。一方、出水ユニット１０に供給されている水にポンプ３０ａからの圧力が作用しない状態においては、当該出水ユニット１０の出水孔１０ａから水が出水しない。なお、通常状態において弁４０ｂは閉じられている。従って、画像表示の開始前および画像表示の修了後には弁４０ｂは閉じられ、出水孔１０ａから水が出水しない状態となる。
【００２９】
本実施形態において、弁４０ｂは電磁弁であり、制御部４０ａは配線４０ｃを介して弁４０ｂの開閉を電気的に制御することができる。制御部４０ａは、図示しないＣＰＵ，ＲＯＭ，ＲＡＭ、通信インターフェース等を備えており、ＲＯＭ等に記録されたプログラムを実行することができる。本実施形態において制御部４０ａには、通信インターフェースを介して画像データを入力することが可能である。
【００３０】
本実施形態において、画像データは、横方向の画素数が出水ユニット１０の数と同一であり、縦方向の画素数が既定の数の画像データである。また、画像データにおいて各画素の値は０または１である。制御部４０ａは、画像データに基づいて各出水ユニット１０に対応した弁４０ｂを開閉させる。すなわち、制御部４０ａは、画像データにおいて横方向に並ぶ各画素が、ｘ方向に並ぶ各出水ユニット１０に対応していると見なし、横方向に並ぶ各画素において画素の値が１の場合に弁４０ｂを開け、画素の値が０の場合に弁４０ｂ
を閉じる。従って、値が１である画素に対応する出水ユニット１０の出水孔１０ａから出水し、値が０である画素に対応する出水ユニット１０の出水孔１０ａから出水しない。この結果、これらの水によって１列分の画像が形成される。
また、制御部４０ａは、画像データの縦方向に並ぶ全てのデータに基づいて弁４０ｂの開閉が終了するまで、横方向の１列ごとの開閉を繰り返す。この構成により、ｙ方向の画像も時系列で徐々に形成される。従って、表示面に画像データが示す画像を表示させることができる。
【００３１】
以上の構成によれば、画像データの各画素を１個の出水ユニット１０から出水した水で表現することができる。１個の出水ユニット１０には、ｘ−ｚ平面に平行な方向に出水孔１０ａが２次元的に配置されているため、１個の出水ユニット１０から出水した密集した水によって各画素の画像を表現することができる。さらに、出水ユニット１０は表示面に平行なｘ方向に複数個配置されており、各出水孔１０ａから出水された水の有無も、密集した水の有無によって容易に判別することができる。従って、表示面の視認者は、水の有無を容易に区別することができ、表示面に表示された画像を容易に判読することができる。
【００３２】
（２）表示処理：
次に、制御部４０ａが実行する表示処理を、図３Ａに示すフローチャートに沿って説明する。表示処理は、任意のトリガに応じて実行開始されて良い。表示処理の実行開始前には、予め表示面に表示する画像を示す画像データが用意されるとともに、１画素分の水が全出水ユニット１０に貯められる。図２Ｂは、画像データの例を模式的に示す図である。図２Ｂに示す画像データは、横方向（表示面上でのｘ方向）にＭ個、縦方向（表示面上でのｙ方向）にＮ個の画素からなるデータである（Ｍ、Ｎは１以上の整数）。図２Ｂにおいては値１の画素を黒、値０の画素を白で示している。
【００３３】
画像データは、通信インターフェースを介して予め制御部４０ａに転送され、ＲＡＭ等の記憶媒体に記憶された状態となる。この状態において制御部４０ａは、トリガに応じて表示処理を開始する。表示処理において、制御部４０ａは、まず、表示の繰り返し回数を示す変数ｉを０に初期化する（ステップＳ１００）。次に、制御部４０ａは、変数ｉをインクリメントし、ｙ方向の画素数をカウントするための変数ｊをＮに初期化する（ステップＳ１０５）。なお、Ｎは、画像データにおいて画素がｙ方向に並ぶ数である。
【００３４】
次に、制御部４０ａは、（１，ｊ）〜（Ｍ，ｊ）のデータで弁４０ｂを駆動する（ステップＳ１１０）。すなわち、制御部４０ａは、ｘ方向に並ぶ１列分の画像データに基づいて各出水ユニット１０の弁４０ｂを駆動する。（１，ｊ）等は画像データにおける画素の座標である。従って、図２Ｂに示す例においてｊが４である場合、（１，４）、（２，４）、（３，４）、（４，４）、（５，４）、、、、、（Ｍ−２，４）、（Ｍ−１，４）、（Ｍ，４）のデータで弁４０ｂが駆動され、ｘ方向の左端の弁４０ｂから順に、閉、閉、閉、開、開、、、、、、開、閉、閉となる。
【００３５】
次に、制御部４０ａは、変数ｊをデクリメントし（ステップＳ１１５）、変数ｊが１より小さいか否かを判定する（ステップＳ１２０）。ステップＳ１２０において、変数ｊが１より小さいと判定されない場合、制御部４０ａは、ステップＳ１１０以降の処理を繰り返す。なお、本実施形態においては、ｙ方向の１画素分の水を出水ユニット１０に給水するために必要な弁４０ｂの開閉時間が予め決められており、当該時間間隔での弁４０ｂの開閉を繰り返すことができるように、制御部４０ａは適宜待機時間を確保しながらステップＳ１１０〜Ｓ１２０の繰り返し処理を実行する。
【００３６】
一方、ステップＳ１２０において、変数ｊが１より小さいと判定された場合、すなわち、１枚の画像データの全てについて表示が行われた場合、制御部４０ａは、変数ｉが予め決められた最大値ｉmaxと等しいか否かを判定する（ステップＳ１２５）。ステップＳ１２５において、変数ｉが最大値ｉmaxと等しいと判定されない場合、制御部４０ａは、ステップＳ１０５以降の処理を繰り返す。この際、同一の画像データに基づいてステップＳ１０５以降の処理が実行されても良いし、異なる画像データに基づいてステップＳ１０５以降の処理が実行されてもよい。
【００３７】
以上の処理によれば、水によって表示面を形成し、当該表示面に画像を表示することが可能である。図３Ｂは、図２Ｂと同一の文字列の画像データ（ただし、画素数は異なる）で表示された画像の実例である。図３Ｂに示すように、画像において像の有無は、出水孔１０ａから出水された水の有無で表現されている。そして、当該出水孔１０ａは、ｘ−ｚ平面内で２次元的に多数配置されることで形成されているため、視認者からは、各画素においてｚ方向に複数の水滴が重なった状態で各画素における水の有無が視認される。このため、水が存在する部分は透明ではなく、水の周囲から入射する光が複数の水滴で乱反射したような状態となることで白濁したような状態で視認され、水の有無を容易に判読することが可能になる。以上のように、本実施形態にかかるディスプレイ装置によれば、水が存在する部分と水が存在しない部分とを容易に区別可能な状態で画像を表示することが可能である。
【００３８】
（３）他の実施形態：
以上の実施形態は本発明を実施するための一例であり、２次元的に配置された複数の出水孔を備える出水ユニットを複数個並べる限りにおいて、他にも種々の実施形態を採用可能である。例えば、上述の実施形態における画像データは静止画を表示するデータであったが、スクロールやオブジェクトの上下左右への移動などを示す動画が表示されても良い。
【００３９】
さらに、表示面を形成する水の速度は、時間の経過とともに大きくなるため、画像の下部であるほど像が間延びしたように見える。そこで、このような状況を抑制するような画像データで表示が行われてもよい。例えば、画像データにおいてｙ方向に画像が圧縮される構成や、ｙ方向の下方であるほど画像が圧縮される構成等を採用してもよい。
【００４０】
さらに、水は着色されていても良い。さらに、画像は反転表示されても良い。すなわち、上述の実施形態においては画素値１で水を出水するが、画素値０で水を出水し、画素値０で水を停止でも良い。さらに、ディスプレイ装置の設置場所は路面上に限定されず、各種の場所、例えば、公園、アミューズメント施設等に設置可能である。
【符号の説明】
【００４１】
１０…出水ユニット、１０ａ…出水孔、２０…支持部、２０ａ…梁部、２０ｂ…支柱、３０…給水部、３０ａ…ポンプ、３０ｂ…タンク、３０ｃ…給水管、４０…出水制御部、４０ａ…制御部、４０ｂ…弁、４０ｃ…配線
【図１】
2019040102.tif 000003
【図２】
2019040102.tif 000004
【図３】
2019040102.tif 000005